(57)【要約】【課題】  無農薬による野菜、葉菜、果物、花等の作物が重宝されている。また人々の健康、疾病の回復、我国の農業等を考慮した大局的な見地及び／又は地球環境等を念頭においた場合、無農薬栽培（減農薬を含む）は不可欠である。よって、ハウス栽培においても、防虫ネットを利用した栽培方法が主流に成りつつあるが、シャッターの閉塞時の虫の侵入に関して配慮（工夫）がなく、この防虫ネット付きハウスの普及に障害となっている。【構成】  ハウスの壁面に設けたシャッターは、シャッタープレート、連動板、羽根車と、駆動部とを備え、シャッタープレートは駆動部を介して開閉される構成であり、シャッター枠体に目合いが略０．１mm〜０．６mm程度の防虫ネットを係止し、この防虫ネットを可動可能とし、シャッタープレートの閉塞時に虫の侵入を防止するハウスの防虫ネット付きシャッターである。【選択図】  図４−１
2006022564.tif 000002
【特許請求の範囲】
【請求項１】
ハウスの壁面に設けたシャッターは、枠体と、この枠体に設けたこのシャッターの開口部を開閉するシャッタープレートと、このシャッタープレートを動かす連動板と、前記枠体に設けた羽根車及び駆動部とを備えてあり、このシャッタープレートは羽根車の風圧で開閉される構成であり、この枠体に、目合いが略０．１mm〜０．６mm程度の防虫ネットの取付側を係止し、またこの防虫ネットの自由端側は開放状態に支持し、この少なくとも開放側に当該防虫ネットの復帰を司る復帰手段を付設ける構成とし、前記防虫ネットで前記シャッターの開放部を閉塞可能としたハウスの防虫ネット付きシャッター。
【請求項２】
ハウスの壁面に設けたシャッターは、枠体と、この枠体に設けたこのシャッターの開口部を開閉するシャッタープレートと、このシャッタープレートを動かす連動板と、前記枠体に設けた羽根車及び駆動部とを備えてあり、このシャッタープレートは羽根車の風圧で開閉される構成であり、この枠体に、防寒布の取付側を係止し、またこの防寒布の自由端側は開放状態に支持し、この少なくとも開放側に当該防寒布の復帰を司る復帰手段を付設ける構成とし、前記防寒布で前記シャッターの開放部を閉塞可能としたハウスの防寒布付きシャッター。
【請求項３】
請求項１の防虫ネットは半截して二枚構成とし、この二枚の防虫ネット片を必要により重畳して前記シャッターの開放部を隠蔽する構成としたハウスの防虫ネット付きシャッター。
【請求項４】
請求項２の防寒布は半截して二枚構成とし、この二枚の防寒布片を必要により重畳して前記シャッターの開放部を隠蔽する構成としたハウスの防寒布付きシャッター。
【請求項５】
請求項１の防虫ネットの一方側を、前記枠体に設けたビニール取付け用の取付手段に係止する構成としたハウスの防虫ネット付きシャッター。
【請求項６】
請求項１の防虫ネットの一方側を、前記枠体に設けたビニール取付け用の取付手段に係止し、その他方側にワイヤを係止し、このワイヤを巻戻す巻取手段を設ける構成としたハウスの防虫ネット付きシャッター。
【請求項７】
請求項２の防寒布の一方側を、前記枠体に設けたビニール取付け用の取付手段に係止し、その他方側にワイヤを係止し、このワイヤを巻戻す巻取手段を設ける構成としたハウスの防寒布付きシャッター。
【発明の詳細な説明】
【技術分野】
【０００１】
本発明は、ハウスの防虫ネット又は防寒布付きシャッターに関する。
【背景技術】
【０００２】
近時、無農薬による野菜、葉菜、果物、花等の作物が重宝されている。また人々の健康、疾病の回復、或は我国の農業等を考慮した大局的な見地及び／又は地球環境等を念頭においた場合に、この種の無農薬栽培（減農薬を含む）は不可欠と考えられる。従って、このような見地から、ハウス栽培においても、防虫ネットを利用した栽培方法が主流に成りつつある。しかしながら、外気の吸込量の確保及び／又は閉塞時の気密性の確保、又は温（湿）度管理、或はハウスの耕作面積の減少等に関する配慮（工夫）がなく、この防虫ネット付きハウスの普及の障害となっている。
【０００３】
そして、ネットの目合いが、前記外気の吸込量の確保等に影響を与えること、又は温（湿）度管理、作物の生育、またネットの張装面積の確保等とは緊密な関係を有することが実験で解明されるとともに、実際のモデルハウス等の情報として業界で知られてきた。その内容を検討すると、おおよそ次のような結果である。即ち、ネットの目合いが１．０mm程度では、通常のネット構造及び／又は取付け構成を採用しても、前記外気の吸込量の確保、又は温（湿）度管理の適正化が図れるが、この目合いでは小さい虫が侵入し、食害が発生して望ましくない。またネットの目合いが略０．１mm〜０．６mm程度では、通常のネット構造及び／又は取付け構成を採用したと仮定した場合は、この目合いから侵入する小さい虫の侵入は防止できる（現状では、略１００％の食害が防止できると考えられる）。しかし、前記外気の吸込量の確保、又は温湿度管理の適正化が図れない（一般的には、７月〜８月において、外気に比し、略２℃〜５℃程度の温度及び／又は略２％〜３％の相対湿度の上昇が考えられる）という現実の問題がある。さらに作物の生育不良の問題が発生し、その改良が望まれる処である。尚、前記略２〜５℃程度の温度上昇による弊害は、通常２５℃〜３０℃等の高温時に発生し易い。
【０００４】
尚、このネットの目合いが略０．１mm〜０．６mm程度で、前記外気の吸込量の確保等、又は温（湿）度管理の適正化を図ると仮定した場合は、開放時（ハウス内への外気の吸込み時）に防虫ネット（防寒布）が確実に開放され、シャッターの略全開状態が確保されている状態であり、前記吸込み量に略相当したハウス内の空気（冷暖気、汚染空気等の内気、又は騒音等）を、確実かつスムーズにハウス外に排出する必要がある。しかし、防虫ネットが、前記開放状態に達しない場合には、記述したハウス栽培に必要とする条件が満たされないことから、大いに問題となる。また防虫ネットが必要以上に開放されると、隣接ハウスとの関係、隣接する建物、通路との関係にも影響することから、このような状況及び／又は他人との関係に十分に配慮することが不可欠である。しかし、これらの点に関して十分な配慮がなされてないのが現況である。
【０００５】
そして、防虫ネット（防寒布）と換気扇との組合せに関する発明、考案は若干散見されるので、本発明と幾分関連性があり、従来の構成に比し改良点が列挙されている文献を説明する。文献（１）は、実開昭６２−１２２２３９号の「同時吸・排気形換気扇」であり、吸込側のギャラリの下側に形成される吸込口を防虫網（防虫ネット）で閉塞する構成であって、このギャラリからの虫の侵入防止を図ることにある。しかし、この考案は、目合いの問題と、前記吸込み量に略相当したハウス内の空気の排出（ハウスの排気）を図ること、又は温（湿）度管理の適正化等を図ること等に関して改良されておらず問題を残す。また文献（２）は、特開平７−２０８０４２号の「虫よけ網付き窓用シャッター」であり、巻き上げ式のシャッターの扉面に虫より用の網を取付けた構成であり、防虫と防犯等を意図する。しかしながら、前述の文献（１）と同様な問題を残す。
【０００６】
【特許文献１】実開昭６２−１２２２３９号
【０００７】
【特許文献２】特開平７−２０８０４２号
【発明の開示】
【発明が解決しようとする課題】
【０００８】
前記文献（１）・（２）は、目合いの問題と、排気を図ること、又は温（湿）度管理の適正化等を図ることに関して改良が図れておらず問題を残す。
【０００９】
上記に鑑み本発明は、ネットの目合いが略０．１mm〜０．６mm程度にし、この寸法の目合いで小さい虫の侵入防止を図り（現状では、略１００％の食害が防止できると考えられる）、またハウス内の排気と、又は温（湿）度管理の適正化等を図り、現実に即したハウスの防虫ネット付きシャッターを提供する。またこの目合いで、かつハウス内の排気を図ること、又は温（湿）度管理の適正化等を図ることで、作物の生育を図りつつ、品質の向上と、収穫量の拡充とが図れるハウスの防虫ネット又は防寒布付きシャッターを提供する。
【課題を解決するための手段】
【００１０】
請求項１の発明は、ネットの目合いが略０．１mm〜０．６mm程度にし、この寸法の目合いで小さい虫の侵入を防止し、現状では、略１００％の食害防止を図ること、またハウス内の排気を図ること、又は温（湿）度管理の適正化等を図ることで、作物の生育を図りつつ、品質の向上と、収穫量の拡充とが図れるハウスの防虫ネット付きシャッターを提供する。
【００１１】
請求項１は、ハウスの壁面に設けたシャッターは、枠体と、この枠体に設けたこのシャッターの開口部を開閉するシャッタープレートと、このシャッタープレートを動かす連動板と、前記枠体に設けた羽根車及び駆動部とを備えてあり、このシャッタープレートは羽根車の風圧で開閉される構成であり、この枠体に、目合いが略０．１mm〜０．６mm程度の防虫ネットの取付側を係止し、またこの防虫ネットの自由端側は開放状態に支持し、この少なくとも開放側に当該防虫ネットの復帰を司る復帰手段を付設ける構成とし、前記防虫ネットで前記シャッターの開放部を閉塞可能としたハウスの防虫ネット付きシャッターである。
【００１２】
請求項２の発明は、防寒布で小さい虫の侵入防止と、またハウス内の防寒等を図ること、又は温（湿）度管理の適正化等を図ることで、作物の生育を図りつつ、品質の向上と、収穫量の拡充とが図れるハウスの防寒布付きシャッターを提供する。またハウス内を遮蔽することで、作物の盗難防止を図ることを意図する。
【００１３】
請求項２は、ハウスの壁面に設けたシャッターは、枠体と、この枠体に設けたこのシャッターの開口部を開閉するシャッタープレートと、このシャッタープレートを動かす連動板と、前記枠体に設けた羽根車及び駆動部とを備えてあり、このシャッタープレートは羽根車の風圧で開閉される構成であり、この枠体に、防寒布の取付側を係止し、またこの防寒布の自由端側は開放状態に支持し、この少なくとも開放側に当該防寒布の復帰を司る復帰手段を付設ける構成とし、前記防虫ネットで前記シャッターの開放部を閉塞可能としたハウスの防寒布付きシャッターである。
【００１４】
請求項３の発明は、請求項１の目的を達成すること、又はこの目的を達成するために最適な防虫ネットを提供すること等を意図する。
【００１５】
請求項３は、請求項１の防虫ネットを半截して二枚構成とし、この二枚の防虫ネット片を必要により重畳して前記シャッターの開放部を隠蔽する構成としたハウスの防虫ネット付きシャッターである。
【００１６】
請求項４の発明は、請求項２の目的を達成すること、又はこの目的を達成するために最適な防寒布を提供すること等を意図する。
【００１７】
請求項４は、請求項２の防寒布を半截して二枚構成とし、この二枚の防寒布片を必要により重畳して前記シャッターの開放部を隠蔽する構成としたハウスの防寒布付きシャッターである。
【００１８】
請求項５の発明は、請求項１の目的を達成すること、又はこの目的を達成するために最適な取付手段を提供すること等を意図する。
【００１９】
請求項５は、請求項１の防虫ネットの一方側を、前記枠体に設けたビニール取付け用の取付手段に係止する構成としたハウスの防虫ネット付きシャッターである。
【００２０】
請求項６・７の発明は、請求項１又は請求項２の目的を達成すること、又はこの目的を達成するために最適な取付手段及び／又は巻取手段を提供すること等を意図する。
【００２１】
請求項６は、請求項１の防虫ネットの一方側を、前記枠体に設けたビニール取付け用の取付手段に係止し、その他方側にワイヤを係止し、このワイヤを巻戻す巻取手段を設ける構成としたハウスの防虫ネット付きシャッターである。
【００２２】
請求項７は、請求項２の防寒布の一方側を、前記枠体に設けたビニール取付け用の取付手段に係止し、その他方側にワイヤを係止し、このワイヤを巻戻す巻取手段を設ける構成としたハウスの防寒布付きシャッターである。
【発明の効果】
【００２３】
請求項１の発明は、ハウスの壁面に設けたシャッターは、枠体と、枠体に設けたシャッターの開口部を開閉するシャッタープレートと、シャッタープレートを動かす連動板と、枠体に設けた羽根車及び駆動部とを備えてあり、シャッタープレートは羽根車の風圧で開閉される構成であり、枠体に、目合いが略０．１mm〜０．６mm程度の防虫ネットの取付側を係止し、また防虫ネットの自由端側は開放状態に支持し、少なくとも開放側に防虫ネットの復帰を司る復帰手段を付設ける構成とし、防虫ネットでシャッターの開放部を閉塞可能としたハウスの防虫ネット付きシャッターである。
【００２４】
従って、請求項１は、ネットの目合いが略０．１mm〜０．６mm程度にし、この寸法の目合いで小さい虫の侵入を防止し、現状では、略１００％の食害防止が図れること、またハウス内の排気が図れること、又は温（湿）度管理の適正化等が図れることで、作物の生育を図りつつ、品質の向上と、収穫量の拡充とが図れるハウスの防虫ネット付きシャッターを提供できる。
【００２５】
請求項２の発明は、ハウスの壁面に設けたシャッターは、枠体と、枠体に設けたシャッターの開口部を開閉するシャッタープレートと、シャッタープレートを動かす連動板と、枠体に設けた羽根車及び駆動部とを備えてあり、シャッタープレートは羽根車の風圧で開閉される構成であり、枠体に、防寒布の取付側を係止し、また防寒布の自由端側は開放状態に支持し、少なくとも開放側に防寒布の復帰を司る復帰手段を付設ける構成とし、防虫ネットでシャッターの開放部を閉塞可能としたハウスの防寒布付きシャッターである。
【００２６】
従って、請求項２は、防寒布で小さい虫の侵入防止と、またハウス内の防寒等が図れること、又は温（湿）度管理の適正化等が図れることで、作物の生育を図りつつ、品質の向上と、収穫量の拡充とが図れるハウスの防寒布付きシャッターを提供できる。またハウス内を遮蔽することで、作物の盗難防止を図る特徴がある。
【００２７】
請求項３の発明は、請求項１の防虫ネットを半截して二枚構成とし、二枚の防虫ネット片を必要により重畳してシャッターの開放部を隠蔽する構成としたハウスの防虫ネット付きシャッターである。
【００２８】
従って、請求項３は、請求項１の目的を達成できること、又はこの目的を達成するために最適な防虫ネットを提供できること等の特徴がある。
【００２９】
請求項４の発明は、請求項２の防寒布を半截して二枚構成とし、二枚の防寒布片を必要により重畳してシャッターの開放部を隠蔽する構成としたハウスの防寒布付きシャッターである。
【００３０】
従って、請求項４は、請求項１の目的を達成できること、又はこの目的を達成するために最適な防寒布を提供できること等の特徴がある。
【００３１】
請求項５の発明は、請求項１の防虫ネットの一方側を、枠体に設けたビニール取付け用の取付手段に係止する構成としたハウスの防虫ネット付きシャッターである。
【００３２】
従って、請求項５は、請求項１の目的を達成できること、又はこの目的を達成するために最適な取付手段を提供できること等の特徴がある。
【００３３】
請求項６の発明は、請求項１の防虫ネットの一方側を、枠体に設けたビニール取付け用の取付手段に係止し、他方側にワイヤを係止し、ワイヤを巻戻す巻取手段を設ける構成としたハウスの防虫ネット付きシャッターである。
【００３４】
また請求項７の発明は、請求項２の防寒布の一方側を、枠体に設けたビニール取付け用の取付手段に係止し、他方側にワイヤを係止し、ワイヤを巻戻す巻取手段を設ける構成としたハウスの防寒布付きシャッターである。
【００３５】
従って、請求項６・７の発明は、請求項１又は請求項２の目的を達成できること、又はこの目的を達成するために最適な取付手段及び／又は巻取手段を提供できること等の特徴がある。
【発明を実施するための最良の形態】
【００３６】
本発明の防虫ネット付きシャッターは、主としてハウスの一方側（吐出側）の壁面に設けた防虫ネット付きシャッターで、羽根車及び／又はモータ等の駆動手段を付設する。尚、吸込側に同じ構成の防虫ネット付きシャッター、又は防虫ネット等を付設できる。そして、図１は本発明のハウスの一方側及び／又は他方側に防虫ネット付きシャッターを付設したハウスの全体を示す縮尺模式図で、図２は図１の一方側のシャッターの一例を示した正面図、図３−１は図２のシャッターの側面図、図３−２は図２のシャッターのビニール等の取付手段の一例を示した拡大断面図、図３−３は図２のシャッターに設けたビニール等の取付手段の一例を示した拡大正面図である。また図４−１はシャッターに取付けた防虫ネットの第一の例（二枚構成の一例）であって、防虫ネットが開放された状態を示した斜視図、図４−２は図４−１に示した防虫ネットの閉塞状態を示した斜視図、図５はシャッターに取付けた防虫ネットの第二の例（二枚構成の他の一例）であって、防虫ネットが開放された状態を示した斜視図、図６−１はシャッターに取付けた防虫ネットの第三の例（一枚構成の一例）であって、防虫ネットが開放された状態を示した斜視図、図６−２は図６−１に示した防虫ネットの閉塞状態を示した斜視図、図６−３は図６−１に示した防虫ネットの閉塞状態を示した側面図、また図６−４は図６−１に示した防虫ネットの閉塞状態を示した側面図、さらに図７−１はシャッターに取付けた防寒布の第一の例（一枚構成の一例）であって、防寒布が開放された状態を示した斜視図、図７−２は図７−１に示した防寒布の閉塞状態を示した斜視図、また図８−１は本発明のハウスの他方側に付設する吸込み口（防虫ネット付きシャッター）の全体を示す模式図、図８−２は図８−１の防虫シャッターの平面図、図８−３は図８−１の防虫シャッターの側面図である。
【００３７】
１はビニールハウス、ガラスハウス等のハウス（温室）で、このハウス１の長手方向１ａの一方側１００（一例であり限定されず天井面、側面等の一方側を含む。以下同じ）にはシャッター２が付設されている（設けられている）。このシャッター２は、図２〜図３−３で示すようにシャッター枠体２００と、このシャッター枠体２００に可動自在に設けた複数枚のシャッタープレート２０１（各シャッタープレート２０１とする）と、この各シャッタープレート２０１を連動する連動板２０２と、シャッター枠体２００の周辺に設けたビニール等の取付手段２０３と、前記シャッター枠体２００に設けたベルマウス２０４（フアン枠体）と、このベルマウス２０４に設けた前記各シャッタープレート２０１を開放する羽根車２０５と、この羽根車２０５を駆動する駆動手段２０６とで構成される。従って、羽根車２０５が駆動手段２０６の駆動で回転し、この羽根車２０５の回転により各シャッタープレート２０１が風圧で可動し、この各シャッタープレート２０１が開放されるとともに、この開放の際に各シャッタープレート２０１は連動板２０２により略同時に可動（上下動）する。そして、このシャッタープレート２０１の開放時に後述する防虫ネット３の開放が確保されるが、図示の如く、略４５°〜５０°程度持上げられた状態となる。勿論、この持上げられた状態は一例であり、例えば、排気量、後述する錘４等により異なる。またこの駆動手段２０６の駆動停止で、羽根車２０５が停止し、この羽根車２０５の停止により各シャッタープレート２０１は、その自重及び／又は連動板２０２の自重（場合によりスプリング等の復帰手段）で同時に復帰し、当該各シャッタープレート２０１と連動板２０２とは略同時に復帰（可動）する。そして、この復帰により各シャッタープレート２０１が閉塞され、シャッター２が同時に閉塞される。またこの各シャッタープレート２０１の閉塞時に後述する防虫ネット３の閉塞が確保される。
【００３８】
尚、ハウス１の長手方向１ａの他方側１０１（一例であり限定されず天井面、側面等の一方側を含む。以下同じ）に設けた吸込み口１ｃには、後述する防虫ネット３−１及び／又はシャッター２−１が設けられており、このシャッター２−１は気密状に設けられている。この防虫ネット３−１は、略０．１mm〜０．６mm程度とし、虫の侵入を防止しつつ、ハウス１内への空気の吸込量の減少を回避するために、防虫ネット３−１に張装面積、又は折畳み等によって表面積の確保を図る構成とする。また図示しないシャッターに防虫ネット３−１を装備する構成もあり得る。尚、このシャッター２−１は、図８−１〜図８−３に示すように、シャッター枠体２００−１と、このシャッター枠体２００−１に可動自在に設けた複数枚のシャッタープレート２０１−１（各シャッタープレート２０１−１とする）と、この各シャッタープレート２０１−１を連動する連動板２０２−１と、シャッター枠体２００−１の周辺に設けたビニール等の取付手段２０３−１と、必要により設けられる駆動手段２０６−１とで構成される。
【００３９】
シャッター２に取付けられ、このシャッター２の閉塞と開放時に、それぞれ閉塞と開放となる防虫ネット３は、その取付側３ａをシャッター枠体２００の方形状周辺に設けた取付手段２０３に、ハウス１の壁面１ｂを構成するビニールとともに取付ける構成が簡便であり、また気密性の確保と、取付け・取外しの容易化等に寄与できる。この取付け方法の好ましい、一例は、シャッター枠体２００の表面側に設けた取付手段２０３の取付枠体２０３ａに、この防虫ネット３の取付側３ａ及び／又はビニールを挿入し、その上からスプリング方式の押え線材２０３ｂを圧入してワンタッチで気密状に取付ける。この取付け方法は、部品の有効利用と、構造の簡略化と、取付け・取外し等の簡便化、またこの取付手段２０３の有効利用、又は取付けロスの減少化、気密性の確保と防虫効果等が図れる。そして、その取外しは、押え線材２０３ｂと、防虫ネット３の取付側３ａ及び／又はビニールを順次取外すことで、ワンタッチにより取外しできる。この防虫ネット３の自由端側３ｂには錘４、又は磁石４００等を取付け、この防虫ネット３の容易な復帰と、防虫ネット３でシャッター２を閉塞時に、この防虫ネット３及び／又はシャッター２のバタツキ防止、気密性、又は防犯性等の確保と、隠蔽保護が図れる。また防虫ネット３は図４−１、図４−２と、図５に示した二枚構成（二枚の防虫ネット片による構成）と、図６−１、図６−２に示した一枚構成とが考えられるが、二枚構成の重畳方式、寸法が異なる二枚構成、短冊方式の二枚構成等の各種の態様が可能である。この二枚構造においても自由端に錘４、又は磁石４００等を取付ける。また前記二枚の防虫ネット片の形状、寸法等は、開放の程度、作物の種類、気候・虫等の条件等によって変更されることから限定されない。尚、図５の例では、防虫ネット３をワンウェイ式のモータ３０１及び／又はワイヤ３０２（紐）を利用し、巻取り部に強制的に巻戻す構成とすることも可能である。尚、この例では、閉塞（停止）時において、各シャッタープレート２０１の重なり等の間で形成される僅かな隙間及び／又はシャッター枠体２００の枠内周と各シャッタープレート２０１の両端間で形成される僅かな隙間等より侵入する虫は防虫ネット３で捕捉できる。そして、前記隙間は風のある際に発生し、また風がある際に、虫の移動が活発となり易いこと等を考量すると、この防虫ネット３による捕捉は極めて有益であると考えられる。またハウス１内で仕事する図示しない虫の逃避を防止できる（他の例も同じ）。
【００４０】
図８−１〜図８−３に示したこの防虫ネット３と略同じ構造の防虫ネット３−１の場合には、この防虫ネット３−１の開放側３ａ−１をシャッター２−１に取付ける場合は、そのシャッター枠体２００−１に設けたビニール用の取付手段２０３−１で取付け、望ましくはハウス１の壁面１ｂとともに、押え線材２０３ｂ−１の取付枠体２０３ａ−１への圧入で取付け、この押え線材２０３ｂ−１の離脱で取外す。従って、取付け（取外し）の容易化、簡便化、又は気密性の確保と、機構の簡素化等に役立つ利点がある。そして、この防虫ネット３−１は、この防虫ネット３−１の略０．１mm〜０．６mm程度の目合いによる空気の吸込量の減少を回避するために、張装面積Ａを確保し、袋形状にする。この袋形状を確保する方法は、図８−２、図８−３に示した一例がある。防虫ネット３−１の排出側３ｂ−１をハウス１に立設したポール３００又は枠材等を利用して架設し、前述の如く、開放側３ａ−１をシャッター枠体２００−１に設ける構成により確保する。また図示しないが、防虫ネット３−１を、ハウス１の天井及び／又は梁材と吊下げ手段を介して付設することも可能である。この防虫ネット３−１には、開閉自在でなる虫の取出し口を設ける。また防虫ネット３とポール３００は、バンド方式による取付け、金具方式、又は差込み式等で、防虫ネット３の形状を確保できる構成が望ましいが、必要により、釦方式、面ファスナー方式等で、形状の変更ができる構成も可能である。この例は、吸込み空気の略均等化が図れることから、例えば、従来のシャッター（図示しない）と略同じ機能を備えている。そして、この例においても、閉塞時において、各シャッタープレート２０１−１の重なり等の間で形成される僅かな隙間及び／又はシャッター枠体２００−１の枠内周と各シャッタープレート２０１−１の両端間で形成される僅かな隙間等より侵入する虫は防虫ネット３−１で捕捉できる。そして、前記隙間は風のある際に発生し、また風がある際に、虫の移動が活発となり易いこと等を考量すると、この防虫ネット３による捕捉は極めて有益であると考えられる。
【００４１】
尚、図７−１、図７−２に示すようにシャッター２側の防虫ネット３を、防寒布３−２に変更可能とし、冬季等における寒さ対策と、防温、防音、防犯効果等を達成することも可能である。また図示しないが、シャッター２−１側の防虫ネット３−１を、防寒布３−２に変更可能とし、冬季等における寒さ対策と、防温、防音、防犯効果等を達成することも可能である。この防寒布３−２は、図示しないが二枚の防寒布片による構成も可能であり、またこの二枚の防寒布片の形状、寸法等は、開放の程度、作物の種類、気候・虫等の条件等によって変更されることから限定されない。
【００４２】
このシャッター２、シャッター２−１及び／又は防虫ネット３、３−１は、作物の種類及び／又は栽培・気候等の条件等により、ハウス１の壁面１ｂの所定高さに取付けられる。この取付け位置と、防虫ネット３等との形状及び／又は寸法等は相関関係を有する。
【図面の簡単な説明】
【００４３】
【図１】本発明のハウスの一方側及び／又は他方側に防虫ネット付きシャッターを付設したハウスの全体を示す縮尺模式図
【図２】シャッターの一例を示した正面図
【図３−１】図２のシャッターの側面図
【図３−２】図２のシャッターのビニール等の取付手段の一例を示した拡大断面図
【図３−３】図２のシャッターに設けたビニール等の取付手段の一例を示した拡大正面図
【図４−１】シャッターに取付けた防虫ネットの第一の例（二枚構成の一例）であって、防虫ネットが開放された状態を示した一部省略の斜視図
【図４−２】図４−１に示した防虫ネットの閉塞状態を示した斜視図
【図５】シャッターに取付けた防虫ネットの第二の例（二枚構成の他の一例）であって、防虫ネットが開放された状態を示した一部省略の斜視図
【図６−１】シャッターに取付けた防虫ネットの第三の例（一枚構成の一例）であって、防虫ネットが開放された状態を示した斜視図
【図６−２】図６−１に示した防虫ネットの閉塞状態を示した斜視図
【図６−３】図６−１に示した防虫ネットの閉塞状態を示した側面図
【図６−４】図６−１に示した防虫ネットの閉塞状態を示した側面図
【図７−１】シャッターに取付けた防寒布の第一の例（一枚構成の一例）であって、防寒布が開放された状態を示した斜視図
【図７−２】図７−１に示した防寒布の閉塞状態を示した斜視図
【図８−１】本発明のハウスの他方側に付設する吸込み口（防虫ネット付きシャッター）の全体を示す模式図
【図８−２】図８−１の防虫シャッターの平面図
【図８−３】図８−１の防虫シャッターの側面図
【符号の説明】
【００４４】
１              ハウス
１ａ            長手方向
１ｂ            壁面
１ｃ            吸込み口
１００          一方側
１０１          他方側
２              シャッター
２００          シャッター枠体
２０１          シャッタープレート
２０２          連動板
２０３          取付手段
２０３−１      取付手段
２０３ａ        取付枠体
２０３ａ−１    取付枠体
２０３ｂ        押え線材
２０３ｂ−１    押え線材
２０４          ベルマウス
２０５          羽根車
２０６          駆動手段
２−１          シャッター
２００−１      シャッター枠体
２０２−１      連動板
２０１−１      シャッタープレート
２０６−１      駆動手段
３              防虫ネット
３ａ            取付側
３ｂ            自由端側
３−１          防虫ネット
３ａ−１        開放側
３ｂ−１        排出側
３−２          防寒布
３００          ポール
３０１          モータ
３０２          ワイヤ
４              錘
４００          磁石
Ａ              張装面積
【図１】
2006022564.tif 000003
【図２】
2006022564.tif 000004
【図３−１】
2006022564.tif 000005
【図３−２】
2006022564.tif 000006
【図３−３】
2006022564.tif 000007
【図４−１】
2006022564.tif 000008
【図４−２】
2006022564.tif 000009
【図５】
2006022564.tif 000010
【図６−１】
2006022564.tif 000011
【図６−２】
2006022564.tif 000012
【図６−３】
2006022564.tif 000013
【図６−４】
2006022564.tif 000014
【図７−１】
2006022564.tif 000015
【図７−２】
2006022564.tif 000016
【図８−１】
2006022564.tif 000017
【図８−２】
2006022564.tif 000018
【図８−３】
2006022564.tif 000019